(57)【特許請求の範囲】
【請求項１】
戸閉時に乗場ドア側部と乗場三方枠の隙間を塞ぐため乗場ドア側部に取り付けられる遮蔽材の位置調整に使用される調整治具であって、
前記遮蔽材を前記乗場三方枠側に押し付けるための基準面と、前記乗場三方枠と前記遮蔽材の離間距離を適正に確保するための基準面とを有し、かつ調整治具の基準面を前記遮蔽材に当接させる際のガイドを有することを特徴とするエレベータ乗場ドア装置の調整治具。
【請求項２】
乗場ドア側部に取り付けられ、戸閉時に乗場ドア側部と乗場三方枠の隙間を塞ぐための遮蔽材と、前記遮蔽材の位置調整に使用される調整治具とを備え、前記遮蔽材は、昇降路側端部に突起部が形成され、中央部に段付き基準面が形成され、この段付き基準面と前記乗場三方枠側先端部との距離を一定とし、前記調整治具は、前記遮蔽材の突起部と当接する突起部と、前記遮蔽材の段付き基準面と当接して前記遮蔽材を前記乗場三方枠側に押し付けるための段付き基準面と、前記乗場三方枠と前記遮蔽材の離間距離を適正に確保するための基準面とを有するエレベータ乗場ドア装置において、
前記調整治具の突起部を前記遮蔽材の突起部に当てた状態で、調整治具の乗場側端面の基準面部を乗場ドアと乗場三方枠の隙間に差し込むように押し当てて、調整治具の中央の段付き基準面により遮蔽材の段付き基準面が乗場三方枠側に押し付けるステップと、
調整治具の乗場側端面の基準面部が遮蔽材と乗場三方枠との離間距離を適正位置に保つステップと、
前記遮蔽材の位置調整が完了したら、前記調整治具を外し持ち去るステップと、
を備えたことを特徴とするエレベータ乗場ドア装置の据付調整方法。
【発明の詳細な説明】
【技術分野】
【０００１】
この発明は、乗場ドア側部に取り付けられる遮蔽材の位置調整に使用するエレベータ乗場ドア装置の調整治具及びそれを用いた据付調整方法に関するものである。
【背景技術】
【０００２】
従来、乗場ドア側部に取り付けられる遮蔽材の位置調整を行う調整部材は、乗場ドア又は乗場三方枠に取り付けられている（例えば、特許文献１参照）。この従来の構成を図６に示す。図中、１は乗場三方枠、２は乗場出入口を開閉する乗場ドア、３は乗場ドア２側部にネジ４により取り付けられ、戸閉時に乗場ドア２側部と乗場三方枠１の隙間を塞ぐための遮蔽材で、火災時に発生した煙が乗場出入口から昇降路内に進入するのを防止する。１５は遮蔽材３にネジ等により一体化させて取り付けられ、遮蔽材３の位置調整作業に使用される調整部材である。図６は遮蔽材３の位置調整後の状態を示す。すなわち、乗場三方枠１に調整部材１５の先端部１５ａが当たるまで移動され、遮蔽材３も調整部材１５と一緒に移動する。この時、乗場ドア２を開閉させると、調整部材１５の先端部１５ａが乗場三方枠１と接触して干渉するため、調整部材１５を昇降路側（反乗場側）に引っ込めるセットバック作業が必要となる。
【０００３】
【特許文献１】特開２００５−１６０３４号公報
【発明の開示】
【発明が解決しようとする課題】
【０００４】
従来の構成では、乗場ドア２側部に取り付けられる遮蔽材３の位置調整を行う調整部材５は、遮蔽材３への取り付けが必要であり、また、調整完了後におけるドア開閉時の干渉を避けるために、調整部材１５の先端部１５ａを昇降路側（反乗場側）に引っ込めるセットバック作業が必要であるという問題があった。
【０００５】
この発明は上記のような課題を解決するためになされたもので、遮蔽材の位置調整時、据付作業員が手に持って遮蔽材に当てて位置調整することができ、調整作業が完了したらそのまま持ち去ることができるエレベータ乗場ドア装置の調整治具及びそれを用いた据付調整方法を得ることを目的とする。
【課題を解決するための手段】
【０００６】
この発明に係るエレベータ乗場ドア装置の調整治具においては、戸閉時に乗場ドア側部と乗場三方枠の隙間を塞ぐため乗場ドア側部に取り付けられる遮蔽材の位置調整に使用されるものであって、遮蔽材を乗場三方枠側に押し付けるための基準面と、乗場三方枠と遮蔽材の離間距離を適正に確保するための基準面とを有し、かつ調整治具の基準面を遮蔽材に当接させる際のガイドを有するものである。
【０００７】
また、この発明に係るエレベータ乗場ドア装置の据付調整方法においては、乗場ドア側部に取り付けられ、戸閉時に乗場ドア側部と乗場三方枠の隙間を塞ぐための遮蔽材と、遮蔽材の位置調整に使用される調整治具とを備え、遮蔽材は、昇降路側端部に突起部が形成され、中央部に段付き基準面が形成され、この段付き基準面と乗場三方枠側先端部との距離を一定とし、調整治具は、遮蔽材の突起部と当接する突起部と、遮蔽材の段付き基準面と当接して遮蔽材を乗場三方枠側に押し付けるための段付き基準面と、乗場三方枠と遮蔽材の離間距離を適正に確保するための基準面とを有するエレベータ乗場ドア装置において、調整治具の突起部を遮蔽材の突起部に当てた状態で、調整治具の乗場側端面の基準面部を乗場ドアと乗場三方枠の隙間に差し込むように押し当てて、調整治具の中央の段付き基準面により遮蔽材の段付き基準面が乗場三方枠側に押し付けるステップと、調整治具の乗場側端面の基準面部が遮蔽材と乗場三方枠との離間距離を適正位置に保つステップと、遮蔽材の位置調整が完了したら、調整治具を外し持ち去るステップとを備えたものである。
【発明の効果】
【０００８】
この発明によれば、遮蔽材の位置調整時、手に持った調整治具を遮蔽材に当てて位置調整し、調整完了したら調整治具はそのまま持ち去ることができるため、調整治具の遮蔽材への取り付けが不要であり、調整完了後におけるドア開閉時の干渉を避けるために調整治具をセットバックさせる必要がない。また、調整治具は持ち運びが容易であるため据付作業員の手持ち治具にすることができ、遮蔽材が取り付けられるエレベータ乗場ドア装置の全数分の調整部材製作が不要とすることができる。
【発明を実施するための最良の形態】
【０００９】
実施の形態１.
図１はこの発明の実施の形態１におけるエレベータ乗場ドア装置の概略構造を示す昇降路側から見た斜視図、図２は図１のＡ面の断面を示す拡大断面図、図３はこの発明の実施の形態１におけるエレベータ乗場ドア装置の調整治具を示す断面図、図４はこの発明の実施の形態１におけるエレベータ乗場ドア装置の調整治具の使用状態を示す斜視図、図５はこの発明の実施の形態１におけるエレベータ乗場ドア装置の調整治具による遮蔽材位置決め過程を示す断面図である。
【００１０】
図において、１は乗場三方枠、２は乗場出入口を開閉する乗場ドア、３は乗場ドア２側部にネジ４により取り付けられ、戸閉時に乗場ドア２側部と乗場三方枠１の隙間を塞ぐための遮蔽材で、火災時に発生した煙が乗場出入口から昇降路内に進入するのを防止する。この遮蔽材３は、乗場ドア２側部にネジ４で取り付けられる剛性のある保持部材３ａと、この保持部材３ａの乗場側端に突出するように取り付けられ、戸閉時に乗場ドア２側部と乗場三方枠１の隙間を塞ぐ弾性部材３ｂとから構成されている。この遮蔽材３は、ネジ４を緩めることにより乗場ドア２の奥行き方向にスライド可能である。また、この遮蔽材３は、据付作業時に据付作業員が乗場ドア２にネジ４で固定している。そして、遮蔽材３の保持部材３ａは、昇降路側（反乗場側）端部に突起部ｃが設けられ、ほぼ中央部に段付き基準面３ｄが設けられている。また、遮蔽材３の弾性部材３ｂの先端部３ｅと基準面３ｄとの距離は一定である。
この発明による調整治具５は、図３に示すような断面形状の板状体である。そして、この調整治具５の内側面の昇降路側（反乗場側）には、調整治具５の使用時に遮蔽材３の保持部材３ａの突起部３ｃと当接係合する突起部５ａが設けられている。また、調整治具５の内側面の中央部には、調整治具５の使用時に遮蔽材３の保持部材３ａの段付き基準面３ｄと当接係合する段付き基準面５ｂが設けられ、この基準面５ｂは遮蔽材３を乗場三方枠１側に押し付ける際の基準面となる。また、調整治具５の乗場側端面は基準面５ｃであり、この基準面５ｃは遮蔽材３を乗場三方枠１側に押し付けた際に、遮蔽材３と乗場三方枠１との離間距離を適正に確保するための基準面となる。調整治具５の突起部５ａは、手に持った調整治具５の段付き基準面５ｂを遮蔽材３の基準面３ｄに当てる際のガイドとなる。なお、図中、６は昇降路壁、７は敷居である。
【００１１】
次に、以上のように構成されたエレベータ乗場ドア装置の調整治具による据付調整方法について、図４、図５に基づいて説明する。
先ず、据付作業時、工具８によりネジ４を緩め、調整治具５の突起部５ａを遮蔽材３の保持部材３ａの突起部３ｃに当てた状態で、調整治具５の乗場側端面の基準面５ｃ部を乗場ドア２と乗場三方枠１の隙間に差し込むように押し当てると、調整治具５の中央の段付き基準面５ｂにより遮蔽材３の保持部材３ａの段付き基準面３ｄが乗場三方枠側に押し付けられる。この時、調整治具５の乗場側端面の基準面５ｃ部が遮蔽材３と乗場三方枠１との離間距離を適正位置に保つことにより、遮蔽材３の弾性部材３ｂの先端部３ｅは適正な押付け量（潰し量）となる。
最後に、工具８によりネジ４を締め、調整治具５を外すと、遮蔽材３は乗場三方枠１からの距離が適正に調整された状態で乗場ドア２に固定される。
よって、乗場ドア２への遮蔽材３の取り付けに併せて調整治具５を乗場ドア２に取り付ける必要がなく、かつ、遮蔽材調整完了後に調整治具のセットバック作業が必要ない。
【図面の簡単な説明】
【００１２】
【図１】この発明の実施の形態１におけるエレベータ乗場ドア装置の概略構造を示す昇降路側から見た斜視図である。
【図２】図１のＡ面の断面を示す拡大断面図である。
【図３】この発明の実施の形態１におけるエレベータ乗場ドア装置の調整治具を示す断面図である。
【図４】この発明の実施の形態１におけるエレベータ乗場ドア装置の調整治具の使用状態を示す斜視図である。
【図５】この発明の実施の形態１におけるエレベータ乗場ドア装置の調整治具による遮蔽材位置決め過程を示す断面図である。
【図６】従来のエレベータ乗場ドア装置を示す図２相当図である。
【符号の説明】
【００１３】
１  乗場三方枠
２  乗場ドア
３  遮蔽材
３ａ  保持部材
３ｂ  弾性部材
３ｃ  突起部
３ｄ  段付き基準面
３ｅ  先端部
４  ネジ
５  調整治具
５ａ  突起部
５ｂ  段付き基準面
５ｃ  基準面
６  昇降路壁
７  敷居
８  工具
【図１】
0004835130.tif 000002
【図２】
0004835130.tif 000003
【図３】
0004835130.tif 000004
【図４】
0004835130.tif 000005
【図５】
0004835130.tif 000006
【図６】
0004835130.tif 000007